(57)【要約】【課題】繁雑なメニューデータの作成を必要とせずに検索や編集を容易に行うことができる記録再生可能な光ディスクを用いた記録再生装置を提供する。【解決手段】光ディスク１０上に記録された画像の検索のために、マイクロコンピュータブロック３０で自動的にまたはユーザの指示に基づき登録トリガを発生して、インデックス画像となる主画像の記録位置を示すポインタをデータプロセッサ３６およびディスクドライブ３２を介して光ディスク１０の所定の領域に記録し、さらにエンコーダ部５０内でインデックス画像となる縮小画像データを生成して、縮小画像バッファメモリ５９からフォーマッタ５６、データプロセッサ３６およびディスクドライブ３２を介して光ディスク１０上のユーザメニューファイルに記録する。【選択図】      図１５
2004241125.tif 000002
【特許請求の範囲】
【請求項１】
ビデオオブジェクトが定義され、このビデオオブジェクトは複数のビデオオブジェクトユニットを含み、前記ビデオオブジェクトユニットは複数のビデオパック及びオーディオパックを含み、
前記ビデオオブジェクトを再生するためのプログラムチェーン情報が定義され、
前記プログラムチェーン情報は、前記ビデオオブジェクトを管理する制御情報領域に記録可能であって、
前記プログラムチェーン情報は、複数のセル情報を含みセルの再生順序を指定し、前記セルは前記ビデオオブジェクトの再生区間を定義しており、
前記セル情報は、再生データの再生区間の情報を含むセル一般情報のブロックと、特定画像の情報ブロックとを順番に含み、
前記特定画像の情報ブロックには、前記ビデオオブジェクト内の特定画像のポインタ情報が含まれるもので、このポインタ情報は、同一のセル内の複数個所の特定画像を指定できるように複数個存在するとともに、
前記制御情報領域に、テキストデータを記録可能にしたことを特徴とする再生装置で読み取り可能な光ディスク。
【請求項２】
光ディスクに記録された情報の再生装置において、前記光ディスクでは、ビデオオブジェクトが定義され、このビデオオブジェクトは複数のビデオオブジェクトユニットを含み、前記ビデオオブジェクトユニットは複数のビデオパック及びオーディオパックを含み、前記ビデオオブジェクトを再生するためのプログラムチェーン情報が定義され、前記プログラムチェーン情報は、前記ビデオオブジェクトを管理する制御情報領域に記録可能であって、前記プログラムチェーン情報は、複数のセル情報を含みセルの再生順序を指定し、前記セルは前記ビデオオブジェクトの再生区間を定義しており、前記セル情報は、再生データの再生区間の情報を含むセル一般情報のブロックと、特定画像の情報ブロックとを順番に含み、前記特定画像の情報ブロックには、前記ビデオオブジェクト内の特定画像のポインタ情報が含まれるもので、このポインタ情報は、同一のセル内の複数個所の特定画像を指定できるように複数個存在するとともに、前記制御情報領域に、テキストデータを記録可能にしたことを特徴とする再生装置で読み取り可能な光ディスクであり、
前記ポインタ情報を再生する手段と、
前記ポインタ情報に基づき前記特定画像を再生する手段と、
前記テキストデータを読み取り再生する手段とを有した情報再生装置。
【請求項３】
光ディスクに記録された情報の再生方法において、前記光ディスクでは、ビデオオブジェクトが定義され、このビデオオブジェクトは複数のビデオオブジェクトユニットを含み、前記ビデオオブジェクトユニットは複数のビデオパック及びオーディオパックを含み、前記ビデオオブジェクトを再生するためのプログラムチェーン情報が定義され、前記プログラムチェーン情報は、前記ビデオオブジェクトを管理する制御情報領域に記録可能であって、前記プログラムチェーン情報は、複数のセル情報を含みセルの再生順序を指定し、前記セルは前記ビデオオブジェクトの再生区間を定義しており、前記セル情報は、再生データの再生区間の情報を含むセル一般情報のブロックと、特定画像の情報ブロックとを順番に含み、前記特定画像の情報ブロックには、前記ビデオオブジェクト内の特定画像のポインタ情報が含まれるもので、このポインタ情報は、同一のセル内の複数個所の特定画像を指定できるように複数個存在するとともに、前記制御情報領域に、テキストデータを記録可能にしたことを特徴とする再生装置で読み取り可能な光ディスクであり、
前記ポインタ情報を再生し、再生した前記ポインタ情報に基づき前記特定画像を再生すると共に、前記テキストデータを読み取り再生することを特徴とする情報再生方法。
【請求項４】
光ディスクに情報を記録する情報記録方法において、前記光ディスクでは、ビデオオブジェクトが定義され、このビデオオブジェクトは複数のビデオオブジェクトユニットを含み、前記ビデオオブジェクトユニットは複数のビデオパック及びオーディオパックを含み、前記ビデオオブジェクトを再生するためのプログラムチェーン情報が定義され、前記プログラムチェーン情報は、前記ビデオオブジェクトを管理する制御情報領域に記録可能であって、前記プログラムチェーン情報は、複数のセル情報を含みセルの再生順序を指定し、前記セルは前記ビデオオブジェクトの再生区間を定義しており、前記セル情報は、再生データの再生区間の情報を含むセル一般情報のブロックと、特定画像の情報ブロックとを順番に含み、前記特定画像の情報ブロックには、前記ビデオオブジェクト内の特定画像のポインタ情報が含まれるもので、このポインタ情報は、同一のセル内の複数個所の特定画像を指定できるように複数個存在するとともに、前記制御情報領域に、テキストデータを記録可能にしたことを特徴とする再生装置で読み取り可能な光ディスクであり、
前記ポインタ情報を生成して、前記制御情報領域に記録するとともに、前記テキストデータを前記制御情報領域に記録することを特徴とする情報記録方法。
【請求項５】
光ディスクに情報を記録する情報記録装置において、前記光ディスクでは、ビデオオブジェクトが定義され、このビデオオブジェクトは複数のビデオオブジェクトユニットを含み、前記ビデオオブジェクトユニットは複数のビデオパック及びオーディオパックを含み、前記ビデオオブジェクトを再生するためのプログラムチェーン情報が定義され、前記プログラムチェーン情報は、前記ビデオオブジェクトを管理する制御情報領域に記録可能であって、前記プログラムチェーン情報は、複数のセル情報を含みセルの再生順序を指定し、前記セルは前記ビデオオブジェクトの再生区間を定義しており、前記セル情報は、再生データの再生区間の情報を含むセル一般情報のブロックと、特定画像の情報ブロックとを順番に含み、前記特定画像の情報ブロックには、前記ビデオオブジェクト内の特定画像のポインタ情報が含まれるもので、このポインタ情報は、同一のセル内の複数個所の特定画像を指定できるように複数個存在するとともに、前記制御情報領域に、テキストデータを記録可能にしたことを特徴とする再生装置で読み取り可能な光ディスクであり、
前記ポインタ情報を生成すして、前記制御情報領域に記録する手段と、
前記テキストデータを前記制御情報領域に記録する手段とを有したことを特徴とする情報記録装置。
【発明の詳細な説明】
【技術分野】
【０００１】
本発明は、光ディスク及び情報再生装置及び情報記録装置及び方法に関するもので、特にＤＶＤ−ＲＡＭのような記録再生可能な記録媒体およびこれを用いて画像や音声の記録再生を行う録再型ＤＶＤプレーヤに適用可能である。
【背景技術】
【０００２】
画像や音声のデータを記録した再生専用光ディスクは、音楽用ＣＤ、レーザディスク、ビデオＣＤなどとして既に実用化されている。また、動画像圧縮の国際標準規格であるＭＰＥＧ２（Moving Picture Experts Group Phase2)およびＡＣ３オーディオ圧縮方式を用いたＤＶＤ規格が制定され、ＤＶＤビデオとして実用化された。ＤＶＤ規格は当初、再生専用、すなわちユーザによる記録が不可能なＲＯＭ型ディスクを想定していたが、最近になり再生はもちろん、ユーザによる記録が可能なＤＶＤ−ＲＡＭ規格も制定された。
【０００３】
ＤＶＤ−ＲＡＭ規格は現在、コンピュータ用のデータ記録再生装置に実用化されているが、当然のことながら動画像や音声の記録再生を行うＤＶＤ記録再生装置への応用も検討されている。ＤＶＤ記録再生装置へのＤＶＤ−ＲＡＭ規格の応用を考えたとき、再生専用であるＤＶＤ規格を基本としたＤＶＤビデオやＤＶＤオーディオの規格と同様にサーチを行うことができることが望まれる。
【０００４】
ＤＶＤビデオ規格では、ディスクタイトル制作会社のためにＶＭＧ・ＶＴＳメニューを用意している。これらのメニューは専用オーサリング機器を使用して制作される。そして、再生時には通常のビデオデータに加えてディスクの記録内容をメニュー表示させ、副映像を利用したボタン表示等でユーザに選択させることで、希望個所の検索を可能としている。
【０００５】
一方、ＤＶＤ−ＲＡＭを用いた動画像の記録を行う場合、タイトルの制作をユーザが行うことになり、またＤＶＤビデオ規格でいうところのＶＭＧ・ＶＴＳメニューデータを採用するとすれば、これらもユーザが作成することになる。しかし、ＶＭＧ・ＶＴＳメニューデータを一般のユーザが作成することは、そのデータ量の多さや、メニューデータ作成のために用意しなければならない必要機器等を考慮すると非常に困難であり、現実的でない。さらに、記録再生可能なＤＶＤの場合、主記録データ（映像・音声データ）を記録し直すという行為も頻繁に発生するが、ＶＭＧ・ＶＴＳメニューデータを用いると、主記録データを書き替える都度これらのメニューデータも書き替えなければならないことになり、そのための作業量は膨大となってしまう。
【特許文献１】特開平８−１３０７００号公報
【発明の開示】
【発明が解決しようとする課題】
【０００６】
上述したように、ＤＶＤ−ＲＡＭを用いて動画像や音声の記録を行う場合、検索や編集の目的のために、主記録データの書き替えを想定していないＤＶＤビデオ規格で使用されているようなＶＭＧ・ＶＴＳメニューデータを用いることは、ユーザの負担が非常に大きく、実用的でないという問題があった。
【０００７】
本発明は、このような問題点を解消し、繁雑なメニューデータの作成を必要とせずに検索や編集を容易に行うことができる光ディスク及び情報再生装置及び情報記録装置及び方法を提供することを目的とする。
【課題を解決するための手段】
【０００８】
上記の課題を解決するため、ビデオオブジェクトが定義され、このビデオオブジェクトは複数のビデオオブジェクトユニットを含み、前記ビデオオブジェクトユニットは複数のビデオパック及びオーディオパックを含み、前記ビデオオブジェクトを再生するためのプログラムチェーン情報が定義され、前記プログラムチェーン情報は、前記ビデオオブジェクトを管理する制御情報領域に記録可能であって、前記プログラムチェーン情報は、複数のセル情報を含みセルの再生順序を指定し、前記セルは前記ビデオオブジェクトの再生区間を定義しており、前記セル情報は、再生データの再生区間の情報を含むセル一般情報のブロックと、特定画像の情報ブロックとを順番に含み、前記特定画像の情報ブロックには、前記ビデオオブジェクト内の特定画像のポインタ情報が含まれるもので、このポインタ情報は、同一のセル内の複数個所の特定画像を指定できるように複数個存在するとともに、前記制御情報領域に、テキストデータを記録可能にしたものである。
【発明の効果】
【０００９】
本発明によれば、特定画像と共にテキストデータを表示することが可能となり、検索や編集を容易にすることができる。
【発明を実施するための最良の形態】
【００１０】
以下、図面を参照して本発明の実施の形態を説明する。
【００１１】
本発明に係る記録再生装置の代表的な一実施形態として、ＭＰＥＧ２に基づきエンコードされた動画を可変ビットレートで記録・再生する装置、例えばＤＶＤディジタルビデオレコーダがある。
【００１２】
図１は、このＤＶＤディジタルビデオレコーダに使用される記録可能な光ディスク１０の構造を説明する斜視図である。図１に示すように、この光ディスク１０は、それぞれ記録層１７が設けられた一対の透明基板１４を接着層２０で貼り合わせた構造を持つ。各基板１４は０．６ｍｍ厚のポリカーボネートで構成することができ、接着層２０は極薄（例えば４０μｍ厚）の紫外線硬化性樹脂で構成することができる。これら一対の０．６ｍｍ基板１４を記録層１７が接着層２０の面上で接触するようにして貼り合わすことにより、１. ２ｍｍ厚の大容量光ディスク１０が得られる。
【００１３】
光ディスク１０には中心孔２２が設けられており、ディスク両面の中心孔２２の周囲には、この光ディスク１０を回転駆動時にクランプするためのクランプエリア２４が設けられている。中心孔２２には、図示しないディスクドライブ装置に光ディスク１０が装填された際に、ディスクモータのスピンドルが挿入される。そして、光ディスク１０は、そのクランプエリア２４において、図示しないディスククランパにより、ディスク回転中クランプされる。
【００１４】
光ディスク１０は、クランプエリア２４の周囲にビデオデータ、オーディオデータその他の情報を記録することができる情報エリア２５を有している。情報エリア２５のうち、外周側にはリードアウトエリア２６が設けられており、クランプエリア２４に接する内周側にはリードインエリア２７が設けられている。そして、リードアウトエリア２６とリードインエリア２７との間にデータ記録エリア２８が定められている。
【００１５】
情報エリア２５の記録層１７には、記録トラックが例えばスパイラル状に連続して形成されている。その連続トラックは複数の物理セクタに分割され、これらのセクタには連続番号が付されている。このセクタを記録単位として、光ディスク１０に種々なデータが記録される。
【００１６】
データ記録エリア２８は、実際のデータ記録領域であって、記録・再生情報として、映画等のビデオデータ（主映像データ）、字幕・メニュー等の副映像データおよび台詞・効果音等のオーディオデータが例えば相変化マークとして記録されている。
【００１７】
光ディスク１０は記録・再生用のＲＡＭディスクであり、記録層１７は例えば２つの硫化亜鉛・酸化シリコン混合物（ＺｎＳ・ＳｉＯ２）の層によって例えばＧｅ２Ｓｂ２Ｔｅ５層からなる相変化記録材料層を挟み込んだ３重層により構成できる。記録・再生用の記録層１７を有する基板１４には、連続のグルーブが刻まれており、このグルーブに相変化記録層が設けられる。また、通常はグルーブの他にランド部分の相変化記録層も情報記録に利用される。
【００１８】
後述するＤＶＤディジタルビデオレコーダは、ＤＶＤ−ＲＡＭディスク（またはＤＶＤ−ＲＷディスク）に対する反復記録・反復再生（読み書き）およびＤＶＤ−ＲＯＭディスクに対する反復再生が可能なように構成される。
【００１９】
図２は、図１の光ディスク（ＤＶＤ−ＲＡＭ）１０のデータ記録エリア２８とここに記録されるデータの記録トラックとの対応関係を説明する図である。ディスク１０がＤＶＤ−ＲＡＭの場合は、デリケートなディスク面を保護するためにディスク１０の本体がカートリッジ１１に収納される。ＤＶＤ−ＲＡＭディスク１０がカートリッジ１１ごと後述するＤＶＤビデオレコーダのディスクドライブに挿入されると、カートリッジ１１からディスク１０が引き出されて図示しないスピンドルモータのターンテーブルにクランプされ、図示しない光ヘッドに向き合うようにして回転駆動される。
【００２０】
図１に示した情報エリア２５の記録層１７には、データ記録トラックがスパイラル状に連続して形成されている。その連続するトラックは図２に示すように一定記憶容量の複数論理セクタ（最小記録単位）に分割され、この論理セクタを基準にデータが記録されている。１つの論理セクタの記録容量は、後述する１パックデータ長と同じ２０４８バイト（あるいは２ｋバイト）に決められている。
【００２１】
データ記録エリア２８は、実際のデータ記録領域であって、管理データ、主映像（ビデオ）データ、副映像データおよび音声（オーディオ）データが同様に記録されている。
【００２２】
図３は、図１および図２に示される映像情報や音楽情報の録再可能な情報記憶媒体としての光ディスク１０に記録されるデータの階層構造を示している。光ディスク１０に形成されたデータ記録エリア２８は、図３に示すようなデータの階層構造を有している。この構造の論理フォーマットは、例えば標準規格の１つであるＩＳＯ９６６０およびユニバーサルディスクフォーマット（ＵＤＦ）ブリッジに準拠して定められている。
【００２３】
図３に示されるように、光ディスク１０の内周側にリードインエリア２７が設けられ、その外周側にリードアウトエリア２６が設けられ、リードインエリア２７からリードアウトエリア２６までの間のデータ記録エリア２８は、ボリュームスペース２８として割り当てられ、このボリュームスペース２８は、ボリュームおよびファイル構造の情報のための空間（ボリューム／ファイル管理領域７０）およびＤＶＤ規格のアプリケーションのための空間（ＤＶＤデータ領域７１）を有している。
【００２４】
リードインエリア２７は、光反射面が凹凸形状をした読み出し専用のエンボス・ゾーン、表面が平坦な鏡面で形成されたミラー・ゾーン、情報の書き換えが可能な書換データ・ゾーンを有している。また、リードアウト領域２６は、情報の書き換えが可能な書換データ・ゾーンで構成されている。
【００２５】
リードイン領域２７のエンボス・データ・ゾーンには、ＤＶＤ−ＲＯＭ（読み出し専用のＤＶＤディスク）、ＤＶＤ−ＲＡＭ（記録再生用のＤＶＤディスク）およびＤＶＤ−Ｒ（追記型のＤＶＤディスク）などのディスクタイプ、ディスクサイズ、記録密度、記録開始／記録終了位置を示す物理セクタ番号などの情報記憶媒体全体に関する情報が記録され、また記録層１７にデータを記録するに必要な記録パワーおよび記録パルス幅、記録層１７に記録されたデータを消去するに必要な消去パワー、記録層１７に記録されたデータを再生するに必要な再生パワー、および記録・消去時の線速などの記録・再生・消去特性に関する情報が記録されている。さらに、リードイン領域２７のエンボス・データ・ゾーンには、製造番号などそれぞれ１枚ずつの情報記憶媒体の製造に関する情報が事前に記録されている。リードインの書換データ・ゾーン２７とリードアウト２６の書換データ・ゾーンには、それぞれ各情報記憶媒体毎の固有ディスク名を記録するための記録領域、記録消去条件で記録および消去が可能かを確認するための確認用試し記録領域、データ領域７２内の欠陥領域の有無並びにその領域のアドレスに関する管理情報記録領域を有し、データ領域７２へのデータの記録を可能とするための予備処理がこの領域でなされ、また、その後のデータの記録、消去並び再生に必要な情報が記録される。
【００２６】
ボリュームスペース２８は、多数のセクタに物理的に分割され、それらの物理的セクタには連続番号が付されている。このボリュームスペース（データ記録エリア）２８に記録されるデータの論理アドレスは、ＩＳＯ９６６０およびＵＤＦブリッジで定められるように、論理セクタ番号を意味している。ここでの論理セクタサイズは、物理セクタの有効データサイズと同様に、２０４８バイト（２ｋバイト）とされ、論理セクタ番号は、物理セクタ番号の昇順に対応して連続番号が付加されている。
【００２７】
ボリュームスペース２８は階層構造を有し、ボリューム／ファイル管理領域７０、１以上のビデオ・オブジェクトからなるデータ領域７２を含んでいる。これら領域７０，７２は、論理セクタの境界上で区分されている。ここで、１論理セクタは２０４８バイトと定義され、１論理ブロックも２０４８バイトと定義されている。従って、１論理セクタは１論理ブロックと同等と定義される。
【００２８】
ボリューム／ファイル管理領域７０は、ユーザによる記録・書き換えが可能な書換データ・ゾーンであって、ＩＳＯ９６６０およびＵＤＦブリッジに定められる管理領域に相当し、この領域７０の記述に基づいて、オーディオ・ビデオデータのファイルまたはボリューム全体に関する情報が後述するＤＶＤビデオレコーダ内部のシステムメモリ（図示せず）に格納される。通常、このボリューム／ファイル管理領域７０は、１ファイルで構成される。
【００２９】
データ領域７２には、図３に示すようにコンピュータ・データとオーディオ・ビデオの混在記録が可能な領域に定められている。コンピュータ・データとオーディオ・ビデオの記録順序、各記録情報サイズは任意で、コンピュータ・データが記録されている領域をコンピュータ・データ領域７４―１、７４−２と称し、また、オーディオ・ビデオ・データが記録された領域をオーディオおよびビデオ・データ領域７６と称する。コンピュータ・データ領域７４―１、７４−２は、記録領域７２にオーディオおよびビデオ・データのみが記録される場合には、その性質から特に設けられなくとも良く、同様にオーディオおよびビデオ・データ領域７６は、記録領域７２にコンピュータ・データのみが記録される場合には、その性質から特に設けられなくとも良い。コンピュータ・データ領域７４―１、７４−２およびオーディオおよびビデオ・データ領域７６は、それぞれ１または複数ファイルで構成される。
【００３０】
オーディオおよびビデオ・データ領域７６には、図３に示すように録画（録音）、再生、編集および検索の各処理を行う時に必要な制御情報７８および再生対象、すなわち、コンテントとしての１または、複数のビデオ・オブジェクト８２，８４，８６からなるビデオ・オブジェクト・セット８０が記録される。ビデオ・オブジェクト８０には、コンテントがビデオ・データであるビデオ・オブジェクト８０、コンテントがスチル・スライドなどの静止画、或いは、ビデオ・データ内の見たい場所、検索用または編集用サムネール等のピクチャ・データであるピクチャ・オブジェクト８４、およびコンテントがオーディオ・データであるオーディオ・オブジェクト８６がある。明らかなように、ビデオ・オブジェクト・セット８０は、これらオブジェクト８２，８４，８６の少なくとも１つで構成されれば十分であり、全てのオブジェクト８２，８４，８６を備える必要はない。同様に、オブジェクト８２，８４，８６は、それぞれ１または複数ファイルで構成される。
【００３１】
１または複数のオブジェクト８２，８４，８６で構成されるビデオ・オブジェクト・セット８０は、図４に示されるようにＭＰＥＧ２規格により圧縮されたビデオデータ（後述するビデオパック８８）、所定規格により圧縮されあるいは非圧縮のオーディオデータ（後述するオーディオパック９０）、およびランレングス圧縮された副映像データ（後述する１画素が複数ビットで定義されたビットマップデータを含む副映像パック９２）が格納されている。
【００３２】
ビデオ・オブジェクト・セット８０がビデオ・オブジェクト８０で構成される場合には、図４に示すようなデータ構造を有し、ビデオ・オブジェクト・セット８０がピクチャ・オブジェクト８４で構成される場合には、オーディオパック９０を含まないビデオ・パック８８およびまたは副映像パック９２のみで構成されるデータ構造を有し、またビデオ・オブジェクト・セット８０がオーディオ・オブジェクト８６で構成される場合には、ビデオ・パック８８および副映像パック９２を含まないオーディオパック９０のみで構成されるデータ構造を有することとなる。
【００３３】
図４に示すように、論理上、ビデオ・オブジェクト・セット８０、すなわちビデオ、ピクチャおよびオーディオ・オブジェクト８２、８４、８６は、複数のセル９４で構成され、各セル９４は１以上のビデオオブジェクトユニット（ＶＯＢＵ）９６により構成される。
【００３４】
セル９４内では、原則としてビデオオブジェクトユニット（ＶＯＢＵ）９６はそのセル９４内での配列順序でデコードされ、再生される。そして、各ビデオオブジェクトユニット８５は、ビデオパック（Ｖパック）８８、副映像パック（ＳＰパック）９２、およびオーディオパック（Ａパック）９０の集合体（パック列）であって、一定期間、例えば０．５から１．２秒の期間で再生されるデータとして定義される。これらのパックは、データ転送処理を行う際の最小単位であって、論理上セルを最小単位としてデータが処理される。
【００３５】
このビデオオブジェクトユニット（ＶＯＢＵ）９６には、識別番号（ＩＤＮ＃ｋ；ｋ＝０〜ｋ）が付され、この識別番号によってビデオオブジェクトユニット９６を特定することができる。ビデオオブジェクトユニット（ＶＯＢＵ）９６の再生期間は、通常、ビデオオブジェクトユニット（ＶＯＢＵ）９６中に含まれる１以上の映像グループ（グループオブピクチャ；略してＧＯＰ）で構成されるビデオデータの再生時間に相当している。通常、１ＧＯＰはＭＰＥＧ２規格では約０．５秒であって、その間に１５枚程度のフレーム画像を再生するように圧縮された画面データとされる。
【００３６】
尚、ビデオオブジェクトユニット（ＶＯＢＵ）９６がビデオデータを含む場合には、ビデオパック８８、副映像パック９０およびオーディオパック９１から構成されるＧＯＰ（ＭＰＥＧ規格準拠）が配列されてビデオデータストリームが構成される。また、オーディオおよび／または副映像データのみの再生データにあってもビデオオブジェクト・ユニット（ＶＯＢＵ）９６を１単位として再生データが構成される。例えば、ビデオデータのビデオ・オブジェクトＶＯＢの場合と同様に、そのオーディオデータが属するビデオオブジェクト・ユニット（ＶＯＢＵ）８５の再生時間内に再生されるべきオーディオ・パック９０が、そのビデオオブジェクトユニット（ＶＯＢＵ）９６に格納される。
【００３７】
ビデオオブジェクトセット８０を構成するビデオオブジェクト８２、８４、８６には、識別番号（ＩＤＮ＃ｉ；ｉ＝０〜ｉ）が付され、この識別番号によってそのビデオオブジェクト８２、８４、８６を特定することができる。また、各セル９４には、ビデオオブジェクト８２、８４、８６の場合と同様に識別番号（Ｃ＿ＩＤＮ＃ｊ）が付されている。
【００３８】
図５は、ビデオパック８８、副映像パック９２およびオーディオパック９０の一般的構造を示している。これらのパックは、全て図２の論理セクタと同様に、２０４８バイト単位のデータで構成される。ビデオ、オーディオおよび副映像パック８８、９０、９２は、図５に示すようにパックヘッダ９８とパケット１００で構成されている。パケット１００はパケットヘッダを含み、このパケットヘッダには、デコードタイムスタンプ（ＤＳＴ）およびプレゼンテーションタイムスタンプ（ＰＴＳ）が記録されている。
【００３９】
図３に示される制御情報７８は、再生時に必要な制御情報を示す再生制御情報１０２、記録（録画・録音）時に必要な制御情報を示す記録制御情報１０４、編集時に必要な制御情報を示す編集制御情報１０６およびビデオ・データ内の見たい場所検索用または編集用サムネール（縮図）に関する管理情報を示す縮図制御情報１０８を含んでいる。
【００４０】
図３に示される再生制御情報１０２は、図６に示されるように管理情報テーブル（ＰＬＹ＿ＭＡＴ）１１２およびプログラム・チェーン（ＰＧＣ）情報テーブル（ＰＧＣＩＴ）１１０Ｙ＿ＩＩＴ）１１４を有する。管理情報テーブル（ＰＬＹ＿ＭＡＴ）１１２には、図７に示すような情報が記述され、このプログラム・チェーン（ＰＧＣ）情報テーブル１１０は、図８に示すようなデータ構造を有している。
【００４１】
図８に示されるように、プログラム・チェーン（ＰＧＣ）情報テーブル１１０はインデックスシーン情報１２０、ＰＧＣ情報管理情報１２２、各ＰＧＣ情報をサーチするためのサーチ・ポインタ＃１〜＃ｎ１２４およびＰＧＣ情報＃１〜＃ｎ１２６から構成されている。
【００４２】
プログラム・チェーン（ＰＧＣ）情報テーブル１１０は、主としてプログラム・チェーン（ＰＧＣ）とセルの再生順序に関する情報が記述され、ビデオオブジェクト８２に記録されたセル９４のデータ、すなわち、ビデオオブジェクト・ユニット９６で構成される実データとしてのムービー・データは、このプログラム・チェーン（ＰＧＣ）情報テーブル１１０の記述に従って再生される。このプログラム・チェーン（ＰＧＣ）情報テーブル１１０は、図８に示されるようにインデックスシーン情報１２０、ＰＧＣ情報管理情報１２２、各ＰＧＣ情報をサーチするためのサーチ・ポインタ＃１〜＃ｎ１２４およびＰＧＣ情報＃１〜＃ｎ１２６から構成されている。インデックスシーン情報１２０には、インデックス画像として使用されるシーン（インデックスシーン）のセル番号が記述される。
【００４３】
ＰＧＣ番号が決定されれば、そのサーチポインタ１２４を参照することによってそのＰＧＣの番号に相当するＰＧＣの再生するためのセルの再生順序が獲得され、そのセルの再生順序に従ってビデオオブジェクト８２から実データとしてのセル９４のデータが獲得され、ビデオが再生される。ここでは、ビデオオブジェクト８２について説明したが、ピクチャ・オブジェクト８４およびオーディオ・オブジェクト８６についても同様にプログラム・チェーン（ＰＧＣ）情報テーブル１１０の記述に従って、実データとしてのセルデータが取り出され、再生される。
【００４４】
ここで、ＰＧＣとはムービーストーリにおけるチャプタに相当し、セルの再生順序を指定した一連の再生を実行する単位を示している。換言すれば、１つのＰＧＣを１本のドラマに例えれば、このＰＧＣを構成する複数のセル９４はドラマ中の種々なシーンに対応すると解釈可能である。このＰＧＣの中身（あるいはセルの中身）は、例えばディスク１０に記録される内容を制作するソフトウエアプロバイダにより決定される。具体的には、図１０（ａ）に示すようにあるビデオデータストリームがあるとすると、その内部はある一定時間内に再生されるビデオオブジェクト・ユニット９６に区分され、原則的に連続するビデオオブジェクト・ユニット９６の集合がセル９４に定められる。
【００４５】
ここで、ビデオオブジェクト・ユニット９６は、原則的に連続していることから、後に説明するようにＰＧＣ情報テーブル１１０、より具体的には図８に示されるセル再生情報１３０では、セルを構成する最初のビデオオブジェクト・ユニット９６と最後のビデオオブジェクト・ユニット９６でセル９４が定義される。すなわち、セル再生情報１３０には、図９に示されるようにセルを構成する再生データの開始アドレス１３４と終了アドレス１３６で指定した再生区間の情報が記述される。
【００４６】
こうしてセル９４が定まると、そのセルの再生順序を定めることによってＰＧＣが構成される。例えば、図１０（ｂ）に示すようにセル−Ａ、セル−Ｂ、セル−Ｂの順序で再生されるように３つのセル９６をセル再生情報のテーブルに配列することによってＰＧＣ＃１が定義される。同様にセル−Ｄ、セル−Ｅ、セル−Ｆの順序で再生されるように３つのセル９６をセル再生情報のテーブルに配列することによってＰＧＣ＃２が定義され、更にセル−Ｑ、セル−Ｒ、セル−Ｓ、セル−Ｔ、セル−Ｕの順序で再生されるように５つのセル９６をセル再生情報のテーブルに配列することによってＰＧＣ＃３が定義される。
【００４７】
ここで、ＰＧＣ＃１および＃２を互いにリンクさせることによってあるチャプターに相当するＰＧＣ＃１に続いて次のあるチャプタに相当するＰＧＣ＃２が再生される。換言すれば、連続してセル−Ａからセル−Ｆが連続して再生される。ＰＧＣ内では、その配列順序でセル９４が再生されるが、ＰＧＣの構成の仕方およびＰＧＣの再生順序は、任意であるので、例えば、あるＰＧＣを他のＰＧＣを構成するセル定義でき、また、リンクの仕方、すなわち、リンク情報を任意に定めることができることから、種々のストーリを作成、或いは、編集することが可能となる。例えば、ＰＧＣ＃１に続いてＰＧＣ＃３をリンクすることができ、また、ＰＧＣ＃１とＰＧＣ＃２に同一のセル、例えば、セルＧを加えて異なるチャプターとすることができ、ユーザの選択によってＰＧＣ＃１或いはＰＧＣ＃２に続いてＰＧＣ＃３をリンクさせることによって任意のストーリーを再現できることとなる。
【００４８】
図７に示すように再生管理テーブル１１２には、再生制御情報である旨の識別子ＩＤが記述され、ビデオオブジェクトセット８０の開始アドレス（ＶＯＢＳ＿ＳＡ）および終了アドレス（ＶＯＢＳ＿ＥＡ）が記述され、制御情報（ＣＴＬＩ）１０２の終了アドレス（ＣＴＬＩ＿ＥＡ）および再生制御情報（ＰＬＹＩ）１０２の終了アドレス（ＰＬＹＩ＿ＥＡ）が記述されている。また、この再生管理テーブル１２２には、この管理情報が記録再生用ＤＶＤのフォーマットに属する旨の属性（ＣＡＴ）が記述され、オーディオ・ビデオ・データ領域７６に記録されるビデオオブジェクトセット中のビデオの属性、例えば、ＮＴＳＣ方式、ワイド等の属性が記述され、同様に記録されたビデオオブジェクトセット中のオーディオストリームの数（ＡＳＴ＿Ｎｓ）並びにその属性、例えば、圧縮方式等を記述したテーブル（ＡＳＴ＿ＡＴＲ）が記述され、さらに、同様に記録されたビデオオブジェクトセット中の副映像ストリームの数（ＳＰＳＴ＿Ｎｓ）並びにその属性等を記述したテーブル（ＳＰＳＴ＿ＡＴＲ）が記述されている。また、オーディオ・ビデオ・データ領域７６にユーザがメニュー画像データ、動画あるいは静止画のデータを独立したファイルとして記録している場合には、ユーザメニューがある旨のフラグ（０１）およびそのようなメニューがない場合には、ユーザメニューがない旨のフラグ（００）が記述され、オーディオ・ビデオ・データ領域７６に縮小画像が記録されている場合には、その縮小画像の代表的なものであってその縮小画像の基となったＰＧＣの番号が記述されている。さらに、予約および制御情報７８で再生制御されるビデオオブジェクトセットのユーザによる再生が終わっているか否かを示すフラグ（０：未再生、１：再生済み）が記述されている。
【００４９】
図８に示すＰＧＣ情報管理情報（ＰＧＣ＿ＭＡＩ）１２２には、図１１に示すようにＰＧＣの総数を示す情報が含まれ、ＰＧＣ情報のサーチ・ポインタ１２４には、既に述べたように各ＰＧＣ情報の先頭をポイントする情報が含まれ、ＰＧＣのサーチを容易にしている。ＰＧＣ情報１２６は、図８に示されるＰＧＣ一般情報１２８および図８に示される１つ以上のセル再生情報１３０から構成されている。
【００５０】
ＰＧＣ情報管理情報１２２（ＰＧＣ＿ＭＡＩ）は、図１１に示すようにＰＧＣ情報テーブル１１０の終了アドレス（ＰＧＣ＿ＴＡＢＬＥ＿ＥＡ）、ＰＧＣ情報管理情報１２２（ＰＧＣ＿ＭＡＩ）の終了アドレス（ＰＧＣ＿ＭＡＩ＿ＥＡ）、ＰＧＣ情報のサーチ・ポインタ（ＰＧＣ＿ＳＲＰ）１２４の開始アドレス（ＰＧＣ＿ＳＲＰ＿ＳＡ）および終了アドレス（ＰＧＣ＿ＳＲＰ＿ＥＡ）、全てのＰＧＣ情報（ＰＧＣＩ）１２６の開始アドレス（ＰＧＣＩ＿ＳＡ）および終了アドレス（ＰＧＣＩ＿ＥＡ）並びに全てのＰＧＣの数（ＰＧＣ＿Ｎｓ）が記述されている。
【００５１】
ＰＧＣ一般情報（ＰＧＣ＿ＧＩ）１２８には、図１２に示されるようにＰＧＣの再生時間やセルの数を示す情報が含まれている。すなわち、ＰＧＣ一般情報  （ＰＧＣ＿ＧＩ）１２８には、当該ＰＧＣの数、セルの数を記述したＰＧＣの内容（ＰＧＣ＿ＣＮＴ）、当該ＰＧＣの再生時間（Ｃ＿ＳＲＰ＿ＳＡ）および終了アドレス（ＰＧＣ＿ＳＲＰ＿ＥＡ）、全てのＰＧＣ情報（ＰＧＣＩ）１２６の開始アドレス（ＰＧＣＩ＿ＳＡ）および終了アドレス（ＰＧＣＩ＿ＥＡ）並びに全てのＰＧＣの数（ＰＧＣ＿Ｎｓ）が記述されている。
【００５２】
ＰＧＣ一般情報（ＰＧＣ＿ＧＩ）１２８には、図１２に示されるようにＰＧＣの再生時間やセルの数を示す情報が含まれている。すなわち、ＰＧＣ一般情報  （ＰＧＣ＿ＧＩ）１２８には、当該ＰＧＣの数、セルの数を記述したＰＧＣの内容（ＰＧＣ＿ＣＮＴ）、当該ＰＧＣの再生時間（ＰＧＣ＿ＰＢ＿ＴＭ）、当該ＰＧＣに含まれるオーディオストリームを制御する情報が記述されたテーブル（ＰＧＣ＿ＡＳＴ＿ＣＴＬ）、当該ＰＧＣに含まれる副映像ストリームを制御する情報が記述されたテーブル（ＰＧＣ＿ＳＰＳＴ＿ＣＴＬ）が記述されている。
【００５３】
また、ＰＧＣ一般情報（ＰＧＣ＿ＧＩ）１２８には、当該ＰＧＣにリンクされるべきＰＧＣに関するリンク情報、例えば、前のＰＧＣ、次のＰＧＣ或いは飛び先（ＧＯｕｐ）ＰＧＣが記述されているＰＧＣナビゲーション・コントロール  （ＰＧＣ＿ＮＶ＿ＣＴＬ）、副映像のパレットの色等に関する再現情報が記述されている副映像パレットテーブル（ＰＧＣ＿ＳＰ＿ＰＬＴ）およびＰＧＣを構成するプログラムの一覧が記載されたプログラムテーブル（図示せず）の開始アドレス（ＰＧＣ＿ＰＧＭＡＰ＿ＳＡ）が記述されている。更に、このテーブル（ＰＧＣ＿ＧＩ）には、セル再生情報（ＣＥＬＬ＿ＰＬＹ＿Ｉ）１２０の開始アドレス（ＣＥＬＬ＿ＰＬＹ＿Ｉ＿ＳＡ）、当該ＰＧＣに関するユーザが作成したメニュー・データがあるか否かのフラグ（０１：メニュー・データあり、００：メニュー・データなし）、予約、当該ＰＧＣのユーザによる再生が終了したか否かのフラグ（０：未再生、１：再生済み）および当該ＰＧＣを今後も保存することを希望するか否かのフラグ（ＡＲＣＨＩＶＥ  Ｆｌａｇ）、すなわち、永久保存することを希望するか否かのフラグ（０：自由［消去可］、１：永久保存）が記述されている。
【００５４】
図８に示されるインデックスシーン情報１２０には、後述するポインタ記録モードによってインデックス画像として登録されるシーンのセル番号Ｎが記述される。
【００５５】
図８に示されるセル再生情報（ＣＥＬＬ＿ＰＬＹ＿Ｉ）１３０は、図９に示されるように大きく分けてセル一般情報１３２とインデックスシーンポインタ情報１３４からなっている。
【００５６】
セル一般情報１３２には、図１３に示されるように、セルのカテゴリ（Ｃ＿ＣＡＴ）、例えば該セルがブロックに属するか、属するならばそのブロックがアングルブロックか等が記述される。ここで、アングルブブロックとは、アングルを切り替えが可能なブロックを意味している。また、アングル切替とは被写体映像を見る角度（カメラアングル）を変えることを意味する。具体的にロックコンサートビデオの例でいえば、同一曲の演奏シーン（同一イベント）において、ボーカリスト主体に捕らえたシーン、ギタリスト主体に捕らえたシーン、ドラマー主体に捕らえたシーン等、様々な角度からのシーンを見ることができることを意味する。アングル切替（またはアングル変更）がなされるケースとしては、視聴者の好みに応じてアングル選択ができる場合と、ストーリの流れの中で自動的に同一シーンがアングルを変えて繰り返される場合（ソフトウエア制作者／プロバイダがそのようにストーリを構成した場合；あるいはＤＶＤビデオレコーダのユーザがそのような編集を行った場合）がある。
【００５７】
また、セル一般情報１３２には、図１３に示されるように、当該ＰＧＣ中におけるセルの再生時間（絶対時間）が記述され、当該セルのユーザによる再生が終了したか否かのフラグ（０：未再生、１：再生済み）および当該セルを今後も保存することを希望するか否かのフラグ（ＡＲＣＨＩＶＥ  Ｆｌａｇ）、すなわち永久保存することを希望するか否かのフラグ（０：自由［消去可］、１：永久保存）が記述されている。
【００５８】
また、セル一般情報１３２には、図１３に示されるように、セル開始アドレス（ＣＥＬＬ＿ＳＡ）および終了アドレス（ＣＥＬＬ＿ＥＡ）がセル中の最初と最後のビデオオブジェクトユニット（ＶＯＢＵ）のアドレスがビデオオブジェクトセット８０の先頭からの相対アドレスで記述され、さらにセル再生情報（ＣＥＬＬ＿ＰＬＹ＿Ｉ）１３０の終了アドレス（ＣＥＬＬ＿ＰＬＹ＿Ｉ＿ＥＡ）も記述されている。このセル再生情報終了アドレス（ＣＥＬＬ＿ＰＬＹ＿Ｉ＿ＥＡ）は、セル一般情報１３２は一定長であるが、インデックスシーンポインタ情報１３４の長さが不定のために設けられている。
【００５９】
一方、インデックスシーンポインタ情報１３４には、図１３に示されるようにインデックスシーン情報１２０に記録されたインデックスシーン（インデックス画像として使用されるシーン）のセル番号が含まれるＰＧＣ情報の光ディスク１０上の物理セクタ番号（これをインデックスシーンポインタアドレス（ＩＮＤＥＸ＿ＰＴ）という）が記述されている。インデックスシーンポインタアドレスは図１３ではＭ個あり、このＭの数は可変である。
【００６０】
従って、光ディスク１０に記録された画像の検索時には、図８に示されるＰＧＣ情報テーブル１１０の中のインデックスシーン情報１２０からインデックスシーンが含まれるセルのセル番号を読み取り、さらに該セル番号が含まれるＰＧＣ情報１２６を検索して該ＰＧＣ情報１２６のＰＧＣ一般情報１２８のうちのセル再生情報１３０についてインデックスシーンポインタ情報１３４を読み取ることにより、インデックス画像を検索することができる。
【００６１】
なお、インデックスシーン情報１２０へのセル番号の登録、およびインデックスシーンポインタ情報１３４の登録手順については、後に詳しく説明する。
【００６２】
図３および図６に示される記録制御情報１０４は、図１４に示される記録管理テーブル１１４を含み、この記録管理テーブル１１４には記録制御情報１０４の終了アドレス（ＲＥＣＩ＿ＥＡ）、記録管理テーブル１１４の終了アドレス（ＲＥＣ＿ＭＡＴ＿ＥＡ）が記述され、記録管理に関する情報を書き込むための空き領域（ＦＲＥＥ＿ＳＰＡＣＥ）が設けられている。さらに、記録管理テーブル１１４には、このＶＯＢＳを保存することを希望するか否かのフラグ（ＡＲＣＨＩＶＥ  Ｆｌａｇ）、すなわち永久保存することを希望するか否かのフラグ（０：自由［消去可］、１：永久保存）が記述されている。
【００６３】
図３に示される縮図制御情報１０８は、アンカー・ポインタ１０８−Ａとピクチャアドレステーブル１０８−Ｂからなり、ピクチャアドレステーブル１０８−Ｂは、メニューインデックス情報ＩＮＦＯ１、インデックスピクチャ情報ＩＮＦＯ２、スライド＆スチル情報ＩＮＦＯ３、インフォメーションピクチャ情報ＩＮＦＯ４、欠陥エリア情報ＩＮＦＯ５および壁紙ピクチャ情報ＩＮＦＯ６を含んでいる。
【００６４】
図１５は、図１のディスクに図３〜図１４で説明したような構造の情報を用いてディジタル動画情報を可変記録レートで記録再生する装置（ＤＶＤビデオレコーダ）の構成を例示している。
【００６５】
このＤＶＤビデオレコーダの装置本体は、概略的にはＤＶＤ−ＲＡＭまたはＤＶＤ−Ｒディスクである光ディスク１０を回転駆動し、この光ディスク１０に対して情報の読み書きを実行するディスクドライブ部（ディスクドライブ３２、一時記憶部３４、データプロセッサ３６およびシステムタイムカウンタ３８等を含む）と、記録側を構成するエンコーダ部５０と、再生側を構成するデコーダ部６０と、装置本体の動作を制御するマイクロコンピュータブロック３０とで構成されている。
【００６６】
エンコーダ部５０は、ＡＤＣ（アナログ・ディジタル変換器）５２と、ビデオエンコーダ（Ｖエンコーダ）５３と、オーディオエンコーダ（Ａエンコーダ）５４と、副映像エンコーダ（ＳＰエンコーダ）５５と、フォーマッタ５６と、バッファ５７と、縮小画像生成部５８および縮小画像バッファメモリ５９を備えている。
【００６７】
ＡＤＣ５２には、ＡＶ入力部４２からの外部アナログビデオ信号＋外部アナログオーディオ信号、あるいはＴＶチューナ４４からのアナログＴＶ信号＋アナログ音声信号が入力される。このＡＤＣ５２は、入力されたアナログビデオ信号を例えばサンプリング周波数１３．５ＭＨｚ、量子化ビット数８ビットでディジタル化する。すなわち、輝度成分Ｙ、色差成分Ｃｒ（またはＹ−Ｒ）および色差成分Ｃｂ（またはＹ−Ｂ）それぞれが８ビットで量子化される。また、ＡＤＣ５２は入力されたアナログオーディオ信号を例えばサンプリング周波数４８ｋＨｚ、量子化ビット数１６ビットでディジタル化する。
【００６８】
なお、ＡＤＣ５２にアナログビデオ信号およびディジタルオーディオ信号が入力されるときは、ＡＤＣ５２はディジタルオーディオ信号をスルーパスさせる。このとき、ディジタルオーディオ信号の内容は改変せず、ディジタル信号に付随するジッタだけを低減させる処理、あるいはサンプリングレートや量子化ビット数を変更する処理等は行っても良い。一方、ＡＤＣ５２にディジタルビデオ信号およびディジタルオーディオ信号が入力されるときは、ＡＤＣ５２はディジタルビデオ信号およびディジタルオーディオ信号をスルーパスさせる。これらのディジタル信号に対しても、内容は改変することなく、ジッタ低減処理やサンプリングレート変更処理等は行っても良い。
【００６９】
ＡＤＣ５２からのディジタルビデオ信号成分は、ビデオエンコーダ（Ｖエンコーダ）５３を介してフォーマッタ５６に送られる。また、ＡＤＣ５２からのディジタルオーディオ信号成分は、オーディオエンコーダ（Ａエンコーダ）５４を介してフォーマッタ５６に送られる。
【００７０】
Ｖエンコーダ５３は、入力されたディジタルビデオ信号をＭＰＥＧ２またはＭＰＥＧ１規格に基づき、可変ビットレートで圧縮されたディジタル信号に変換する機能を有する。
【００７１】
Ａエンコーダ５４は、入力されたディジタルオーディオ信号をＭＰＥＧオーディオまたはＡＣ−３規格に基づき、固定ビットレートで圧縮されたディジタル信号（またはリニアＰＣＭのディジタル信号）に変換する機能を持つ。
【００７２】
図４および図５に示すようなデータ構成のＤＶＤビデオ信号、例えば副映像信号の独立出力端子付ＤＶＤビデオプレーヤからの信号がＡＶ入力部４２から入力された場合、あるいはこのようなデータ構成のＤＶＤビデオ信号が放送され、それがＴＶチューナ４４で受信された場合は、ＤＶＤビデオ信号中の副映像信号成分（副映像パック）が副映像エンコーダ（ＳＰエンコーダ）５５に入力される。ＳＰエンコーダ５５に入力された副映像データは、所定の信号形態にアレンジされて、フォーマッタ５６に送られる。
【００７３】
フォーマッタ５６は、バッファメモリ５７をワークエリアとして使用しながら、入力されたビデオ信号、オーディオ信号、副映像信号等に対して所定の信号処理を行い、前述したようなフォーマット（ファイル構造）に合致した記録データをデータプロセッサ３６に出力する。
【００７４】
ここで、上記記録データを作成するための標準的なエンコード処理内容を簡単に説明しておく。すなわち、図１５のエンコーダ部５０においてエンコード処理が開始されると、ビデオ（主映像）データおよびオーディオデータのエンコードにあたって必要なパラメータが設定される。次に、設定されたパラメータを利用して主映像データがプリエンコードされ、設定された平均転送レート（記録レート）に最適な符号量の配分が計算される。こうしてプリエンコードで得られた符号量配分に基づき、主映像のエンコードが実行される。このとき、オーディオデータのエンコードも同時に実行される。
【００７５】
プリエンコードの結果、データ圧縮量が不十分な場合、例えば録画しようとするＤＶＤ−ＲＡＭディスクまたはＤＶＤ−Ｒディスクに希望のビデオプログラムが収まり切らない場合には、再度プリエンコードする機会を持てるなら、すなわち、例えば録画のソースがビデオテープあるいはビデオディスクなどの反復再生可能なソースであれば、主映像データの部分的な再エンコードが実行され、再エンコードした部分の主映像データがそれ以前にプリエンコードした主映像データ部分と置換される。このような一連の処理によって、主映像データおよびオーディオデータがエンコードされ、記録に必要な平均ビットレートの値が大幅に低減される。同様にして、副映像データをエンコードするに必要なパラメータが設定され、エンコードされた副映像データが作成される。
【００７６】
以上のようにしてエンコードされた主映像データ、オーディオデータおよび副映像データが組み合わされて、ビデオオブジェクトの構造に変換される。
【００７７】
すなわち、主映像データ（ビデオデータ）の最小単位としてのセルが設定され、図１３に示すようなセル再生情報（Ｃ＿ＰＬＹ＿Ｉ）が作成される。次に、プログラムチェーン（ＰＧＣ）を構成するセルの構成、主映像、副映像およびオーディオの属性等が設定され（これらの属性情報の一部は、各データをエンコードする時に得られた情報が利用される）、図３および図６を参照して説明した種々な情報を含めた再生制御情報１０２が作成される。
【００７８】
エンコードされた主映像データ、オーディオデータおよび副映像データは、図５に示すような一定サイズ（２０４８バイト）のパックに細分化される。これらのパックには、適宜、ＰＴＳ（プレゼンテーションタイムスタンプ）、ＤＴＳ  （デコードタイムスタンプ）等のタイムスタンプが記述される。副映像のＰＴＳについては、同じ再生時間帯の主映像データあるいはオーディオデータのＰＴＳより任意に遅延させた時間を記述することができる。
【００７９】
そして、各データのタイムコード順に再生可能なように、一定時間内に再生されるデータとしてのＶＯＢＵ９６にまとめられ、このＶＯＢＵ９６を配置しながら各データセルが定義され、複数のセルで構成されるＶＯＢが構成される。このＶＯＢを１以上まとめたＶＯＢＳ８０が、図４の構造にフォーマットされる。
【００８０】
ＤＶＤディスク１０に対して情報の読み書き（録画および／または再生）を実行するディスクドライブ部は、ディスクチェンジャ部１１０と、ディスクドライブ３２と、一時記憶部３４と、データプロセッサ３６と、システムタイムカウンタ（またはシステムタイムクロック；ＳＴＣ）３８とを備えている。
【００８１】
一時記憶部３４は、ディスクドライブ３２を介してディスク１０に書き込まれるデータ（エンコーダ部５０から出力されるデータ）のうちの一定量分をバッファイリングしたり、ディスクドライブ３２を介してディスク１０から再生されたデータ（デコーダ部６０に入力されるデータ）のうちの一定量分をバッファイリングするのに利用される。
【００８２】
例えば、一時記憶部３４が４Ｍバイトの半導体メモリ（ＤＲＡＭ）で構成されるときは、平均４Ｍｂｐｓの記録レートでおよそ８秒分の記録または再生データのバッファリングが可能である。また、一時記憶部３４が１６ＭバイトのＥＥＰＲＯＭ（フラッシュメモリ）で構成されるときは、平均４Ｍｂｐｓの記録レートでおよそ３０秒の記録または再生データのバッファリングが可能である。さらに、一時記憶部３４が１００Ｍバイトの超小型ＨＤＤ（ハードディスク）で構成されるときは、平均４Ｍｂｐｓの記録レートで３分以上の記録または再生データのバッファリングが可能となる。
【００８３】
一時記憶部３４は、録画途中でディスク１０を使い切ってしまった場合において、ディスク１０が新しいディスクに交換されるまでの録画情報を一時記憶しておくことに利用できる。また、一時記憶部３４はディスクドライブ３２として高速ドライブ（２倍速以上）を採用した場合において、一定時間内に通常ドライブより余分に読み出されたデータを一時記憶しておくことにも利用できる。再生時の読み取りデータを一時記憶部３４にバッファリングしておけば、振動ショック等で図示しない光ピックアップが読み取りエラーを起こしたときでも、一時記憶部３４にバッファリングされた再生データを切り替え使用することによって、再生映像が途切れないようにできる。
【００８４】
図１５のデータプロセッサ３６は、マイクロコンピュータブロック３０の制御に従って、エンコーダ部５０からのＤＶＤ記録データをディスクドライブ３２に供給したり、ディスク１０から再生されたＤＶＤ再生信号をドライブ３２から取り出したり、ディスク１０に記録された管理情報を書き換えたり、ディスク１０に記録されたデータ（ファイルあるいはＶＴＳ）の削除をしたりする。
【００８５】
マイクロコンピュータブロック３０は、ＭＰＵ（またはＣＰＵ）、制御プログラム等が書き込まれたＲＯＭ、およびプログラム実行に必要なワークエリアを提供するＲＡＭを含んでいる。
【００８６】
ＭＰＵ３０の実行結果のうち、ＤＶＤビデオレコーダのユーザに通知すべき内容は、ＤＶＤビデオレコーダの表示部４８に表示され、またはモニタディスプレイにオンスクリーンディスプレイ（ＯＳＤ）で表示される。
【００８７】
なお、ＭＰＵ３０がディスクチェンジャ部、ディスクドライブ３２、データプロセッサ３６、エンコーダ部５０および／またはデコーダ部６０を制御するタイミングは、ＳＴＣ３８からの時間データに基づいて、実行することができる。録画・再生の動作は、通常はＳＴＣ３８からのタイムクロックに同期して実行されるが、それ以外の処理は、ＳＴＣ３８とは独立したタイミングで実行されてもよい。
【００８８】
デコーダ部６０は、図５に示すようなパック構造を有するＤＶＤ再生データから各パックを分離して取り出すセパレータ６２と、パック分離その他の信号処理実行時に使用するメモリ６３と、セパレータ６２で分離された主映像データをデコードするビデオデコーダ（Ｖデコーダ）６４と、セパレータ６２で分離された副映像データ（副映像パック９０の内容）をデコードする副映像デコーダ（ＳＰデコーダ）６５と、セパレータ６２で分離されたオーディオデータ（図９のオーディオパック９１の内容）をデコードするオーディオデコーダ（Ａデコーダ）６８と、Ｖデコーダ６４からのビデオデータにＳＰデコーダ６５からの副映像データを適宜合成し、主映像にメニュー、ハイライトボタン、字幕その他の副映像を重ねて出力するビデオプロセッサ６６と、ビデオプロセッサ６６からのディジタルビデオ出力をアナログビデオ信号に変換するビデオ・ディジタル・アナログ変換器（Ｖ・ＤＡＣ）６７と、Ａデコーダ６８からのディジタルオーディオ出力をアナログオーディオ信号に変換するオーディオ・ディジタル・アナログ変換器  （Ａ・ＤＡＣ）６７を備えている。
【００８９】
Ｖ・ＤＡＣ６７からのアナログビデオ信号およびＡ・ＤＡＣ６７からのアナログオーディオ信号は、ＡＶ出力部４６を介して、図示しない外部コンポーネント（２チャネル〜６チャネルのマルチチャネルステレオ装置＋モニタＴＶまたはプロジェクタ）に供給される。
【００９０】
次に、本実施形態のＤＶＤビデオレコーダにおける基本的なデータ処理動作、すなわち録画処理および再生処理について次に説明する。
【００９１】
録画時のデータ処理時には、まず、ユーザがキー入力することによってマイクロコンピュータブロック３０のＭＰＵが録画命令受けると、ＤＶＤディスク１０からディスクドライブ３２を通して必要な管理データを読み込み、書き込む領域を決定する。次に、決定された領域に記録データを書き込むように管理領域に設定し、ビデオデータの書き込みスタートアドレスをディスクドライブ３２に設定し、データを記録する準備を行う。
【００９２】
ここで、設定する管理領域とは、ファイルを管理しているファイル管理部（ＩＳＯ９６６０ではディレクトリデコードを指す）および制御情報７８を指し、ファイル管理部に必要なパラメータを記録していく。
【００９３】
次に、マイクロコンピュータブロック３０はＳＴＣ部３８に時間のリセットを行う。ここで、ＳＴＣ３８はシステムのタイマーでこの値を基準に録画、再生を行う。その後、マイクロコンピュータブロック３０はその他の各部の設定を実行する。
【００９４】
ここで、ビデオ信号の流れは次のようになる。すなわち、まずＴＶチューナ部４４または外部入力より入力されたＡＶ信号をＡＤＣ５２でＡ／Ｄ変換し、映像信号はビデオエンコーダ５３、音声信号はオーディオエンコーダ５４、またＴＶチューナ部４４よりクローズドキャプション信号、または文字放送等のテキスト信号をＳＰエンコーダ５５へそれぞれ入力する。
【００９５】
各エンコーダ５３，５４，５５は、それぞれの入力信号を圧縮してパケット化し（ただし、各パケットはパック化した時に１パック当たり２０４８バイトになるように切り分けて、パケット化する。）、フォーマッタ部５６に入力する。ここで、各エンコーダ５３，５４、５５は、ＳＴＣ３８の値に従って各パケットのＰＴＳ、ＤＴＳを必要に応じて決定して記録する。
【００９６】
フォーマッタ５６は、バッファメモリ５７へパケットデータを一時保存し、その後、入力された各パケットデータをパック化して、ＧＯＰ毎にミキシングしてデータプロセッサ３６へ入力する。
【００９７】
データプロセッサ３６は、１６パック毎にまとめてＥＣＣグループとして、ＥＣＣを付けてディスクドライブ３２へ送る。ただし、ディスクドライブ３２がディスク１０への記録準備が出来ていない場合には、一時記憶部３４へ転送し、データを記録する準備が出来るまで待ち、用意が出来た段階で記録を開始する。ここで、一時記憶部３４は、高速アクセスで数分以上の記録データを保持するため、大容量メモリが想定される。
【００９８】
また、録画終了時に制御情報７８の再生制御情報１０２およびボリューム＆ファイル管理領域７０に終了後に必要な情報を記録して録画動作を終了する。ただし、マイクロコンピュータブロック３０はファイルのボリューム＆ファイル管理領域７０などを読み書きするために、データプロセッサ３６へマイコンバスを通して、読み書きすることが出来る。
【００９９】
再生時のデータ処理においては、まずユーザがキー入力することによってマイクロコンピュータブロック３０は再生命令を受けると、ディスクドライブ３２よりデータプロセッサ３６を通して、ボリューム＆ファイル管理領域７０を読み込み、再生するアドレスを決定する。ここで、ボリューム＆ファイル管理領域７０とはボリュームディスクリプタとファイル管理部を指し、ボリュームディスクリプタで光ディスク１０がＤＶＤディスクかどうかを判断し、ファイル管理部の情報により制御情報７８を取り出し、制御情報７８より再生するタイトルに相当するビデオオブジェクト８２，８４，８６を決定し、再生を開始するアドレスを決定する。
【０１００】
マイクロコンピュータブロック３０は、次にディスクドライブ３２に先ほど決定された再生するデータのアドレスとリード命令を送る。ディスクドライブ３２は、送られた命令に従ってディスク１０よりセクタデータを読み出し、データプロセッサ３６でエラー訂正を行い、パックデータの形にしてデコーダ部６０へ出力する。
【０１０１】
デコーダ部６０の内部では、読み出したパックデータをセパレータ６２が受け取ってパケット化し、データの目的に応じて、ビデオパケットデータ（ＭＰＥＧビデオデータ）はビデオデコーダ６４へ転送し、オーディオパケットデータ６８はオーディオデコーダ６８へ転送し、副映像パケットデータはＳＰデコーダ６５へ転送する。送られた各パケットデータは、転送開始時にＰＴＳをＳＴＣ３８へロードして、つまりパック内のＰＴＳをマイクロコンピュータブロック３０がＳＴＣ３８へセットして、またはビデオデコーダ６４が自動的にビデオデータのＰＴＳをＳＴＣ部へセットする。その後、各デコーダ６４，６５，６８は、パケットデータ内のＰＴＳ（プレゼンテーション・タイム・スタンプ）の値に同期して（ＰＴＳとＳＴＣの値を比較しながら）再生処理を行い、ＴＶに音声字幕付きの動画を再生することができる。  
次に、本発明の特徴である光ディスク１０へのインデックスシーンの登録手順について、インデックスシーンとして最も多く利用される画像を用いた場合を例にとって説明する。  
インデックス画像は光ディスク１０の記録内容の検索や編集のための画像であり、本実施形態におけるインデックス画像の登録法には、主記録データ（ビデオデータ）中のインデックス画像の記録位置を示す位置情報（ポインタ）を光ディスク１０上に記録する方法（ポインタ記録モードという）と、入力されるビデオデータから縮小画像生成部５８で生成された縮小画像データをインデックス画像データとして光ディスク１０上に記録する方法（縮小画像記録モードという）とがある。
【０１０２】
ポインタ記録モードによると、実際に縮小画像のようなインデックス画像データを特別に持たず、主画像へのポインタのみでインデックス画像を表すことが可能であり、インデックス画像をデコーダ側で作りながら表示し、メニュー表示時にディスクサーチを頻繁に行うため、縮小画像記録モードに比較してユーザメニュー表示に若干時間がかかるが、実際に縮小画像を持たない分、使用するディスク容量が少なくて済む利点が得られる。
【０１０３】
インデックス画像の登録には、ユーザによる指定により上述した二つのモードを選択的に使用してもよいし、両モードを併用してもよい。本実施形態では、両モードを併用する場合について述べる。
【０１０４】
インデックス画像の登録は自動的に行うこともでき、記録の開始・終了を装置が自動的に検知し、例えば図１６に示すように例えばセル−１の録画開始時にセル−１の画像１，２について登録を行ったり、録画終了時のセル−３の最後のフレームの画像５について登録を行うことができる。また、ユーザが記録中の画像を表示画面上でモニタしながら、キー入力等の手動で行うことも可能であり、その場合は図１６中の画像３，４に示すように記録動作中に発生しているセル−２中に任意の複数の画像について登録を行うことができる。
【０１０５】
まず、図１７に示すフローチャートを用いて、前者のポインタ記録モードによるインデックス画像登録手順を説明する。  
ユーザがキー入力部４９を通してインデックス画像の登録指令を与えると、マイクロコンピュータブロック３０内のＭＰＵは、登録トリガをエンコーダ部５０に対して発生すると共に、ステップＳ１０１により登録トリガありと判断し、ビデオエンコーダ５３からセル毎にＧＯＰの作成開始信号を得て、Ｉピクチャの生成開始を検知する（ステップＳ１０２）。後述するように、このＩピクチャがインデックス画像の登録ポイントとなる。
【０１０６】
なお、ＭＰＵからの登録トリガの発生はユーザが登録指令を入力する都度、例えば１回ずつ行ってもよいし、ＭＰＵが光ディスク１０への記録開始／終了時、さらには映像や音声のシーンチェンジ時に自動的に行ってもよい。これらの選択は、キー入力部４９を介してユーザが指定できるようにすることが望ましい。
【０１０７】
次に、マイクロコンピュータブロック３０内のＭＰＵは、光ディスク１０上の現在記録中の物理セクタ番号Ｍをディスクドライブ３２およびデータプロセッサ３６を介して検知してＲＡＭに保持し（ステップＳ１０３）、さらに現在定義しようとしている、つまりＩピクチャをインデックス画像として登録すべきセルのセル番号Ｎを検知して同様にＲＡＭに保持する（ステップＳ１０４）。
【０１０８】
次に、マイクロコンピュータブロック３０内のＭＰＵは、ディスクドライブ３２およびデータプロセッサ３６を介して、またはキー入力部４９からの指令によって録画終了の有無を判定し（ステップＳ１０５）、録画終了であれば光ディスク１０上の図８に示したＰＧＣ情報テーブル１１０のインデックスシーン情報１２０に、ステップＳ１０４で保持されたセル番号Ｎを登録する（ステップＳ１０６）。
【０１０９】
引き続き、マイクロコンピュータブロック３０内のＭＰＵは、ディスクドライブ３２およびデータプロセッサ３６を介して光ディスク１０上の図８に示したＰＧＣ情報テーブル１１０から、インデックスシーン情報１２０に記述されているセル番号Ｎが含まれるＰＧＣ情報を検索する（ステップＳ１０７）。
【０１１０】
ここで、マイクロコンピュータブロック３０内のＭＰＵは、ステップＳ１０７により検索されたＰＧＣ情報が＃１であったとすると、このＰＧＣ情報が＃１の図９に示されるセル再生情報１３０、具体的にはセル再生情報１３０の中のインデックスシーンセル情報１３４に、ステップＳ１０３でＲＡＭに保持しておいた物理セクタ番号Ｍを記録する（ステップＳ１０８）。
【０１１１】
次に、図１９に示すフローチャートを用いて縮小画像記録モードによるインデックス画像登録手順を説明する。  
基本的に、光ディスク１０上に記録中の映像は記録停止をしない限り時間軸上で連続しており、連続した部分は内容的にも同じ種類にグルーピングできる性質のものである。このグルーピングは前述したセルの単位で行われる。実際の記録動作を考えると、記録開始、記録終了の動作でセルが一つ発生する。従って、インデックス画像の位置情報としては、上述のように任意のセルに対応した物理セクタ番号Ｍを登録すればよい。
【０１１２】
ＤＶＤ規格においては、前述のようにビデオエンコードにＭＰＥＧ２を採用している。ＭＰＥＧ２では（ＭＰＥＧ１もそうであるが）、図１７に示されるようにＧＯＰと呼ばれる周期でエンコードが行われる。ＧＯＰ内にはイントラ符号化画面（Ｉピクチャ）と、インター符号化画面（Ｐピクチャ、Ｂピクチャ）とがあるが、前者は自己の画面内でのみ符号化を行う画面であるのに対し、後者は他の画面を参照画面として予測を行う画面であるため、インデックス画像として用いることはできない。そこで、図１７の縮小画像記録モードによるインデックス画像登録手順では、図１８に示されるようにＩピクチャをインデックス画像の位置情報の登録ポイントとしている。
【０１１３】
ポインタ記録モードの場合と同様に、まずユーザがキー入力部４９を通してインデックス画像の登録指令を与えると、マイクロコンピュータブロック３０内のＭＰＵは、登録トリガをエンコーダ部５０に対して発生すると共に、ステップＳ２０１により登録トリガありと判断する。ＭＰＵからの登録トリガの発生はユーザが登録指令を入力する都度、例えば１回ずつ行ってもよいし、ＭＰＵが光ディスク１０への記録開始／終了時、さらには映像や音声のシーンチェンジ時に自動的に行ってもよい。これらの選択は、キー入力部４９を介してユーザが指定できるようにすることが望ましい。
【０１１４】
次に、マイクロコンピュータブロック３０内のＭＰＵは、ステップＳ２０１で登録トリガありと判断すると、光ディスク１０上の現在記録中の物理セクタ番号Ｍをディスクドライブ３２およびデータプロセッサ３６を介して検知してＲＡＭに保持し（ステップＳ２０２）、さらに縮小画像生成部５８を起動してインデックス画像として登録すべき縮小画像データを生成する（ステップＳ２０３）。そして、生成された縮小画像データを現在のＰＧＮ番号と共に縮小画像バッファメモリ５９にパケット化して記録する。
【０１１５】
次に、マイクロコンピュータブロック３０内のＭＰＵは、ディスクドライブ３２およびデータプロセッサ３６を介して、またはキー入力部４９からの指令によって録画終了の有無を判定し（ステップＳ２０５）、録画終了であればディスクドライブ３２およびデータプロセッサ３６を介して予め取り込んだ光ディスク１０上のボリューム＆ファイル管理領域７０から図２０中に示す縮小画像管理領域の論理アドレスを取得する（ステップＳ２０６）。そして、この縮小画像管理領域の内容、具体的にはＰＧＮ番号Ｎ、実際に記録する縮小画像の縮小画像管理領域内のセクタアドレス、元主画像のセクタアドレス等の更新を行う（ステップＳＳ２０７）。
【０１１６】
次に、マイクロコンピュータブロック３０内のＭＰＵは、ステップＳ２０３で縮小画像生成部５８により生成され縮小画像バッファメモリ５９にパケット化されて格納された縮小画像データを読み出してパック化し、ステップＳ２０６〜Ｓ２０７により縮小画像管理領域の内容で定義された光ディスク１０上のエリアにデータプロセッサ３６およびディスクドライブ３２を介して記録する（ステップＳ２０８）。
【０１１７】
そして、縮小画像バッファメモリ５９に格納された縮小画像データを全部読み出したかどうかを判断し（ステップＳ２０９）、縮小画像データが残っていれば縮小画像バッファメモリ５９内の次のＰＧＣ番号Ｎを指定してステップＳ２０７〜Ｓ２０８の処理を繰り返し、縮小画像データが全て読み出されると、図３に示される再生制御情報１０２およびボリューム＆ファイル管理領域７０を順次更新し（ステップＳ２１１〜Ｓ２１２）、処理を終了する。
【０１１８】
次に、インデックス画像（縮小画像）に関する光ディスク１０上のユーザメニューファイルのフォーマットについて説明する。このユーザメニューファイルのフォーマットは、概念図的には図２０に示すような構成をとることができ、具体的には図２１〜図２２に示すような構成をとることができる。
【０１１９】
まず、ユーザメニューファイルに入っているデータは、図２０において上から下へ向かって示すように、第１アンカーポイント、縮小画像管理領域、縮小画像管理領域のバックアップ（図示せず）、縮小画像データ群、第２アンカーポイントの順で記載されている。
【０１２０】
このユーザメニューファイルに最初に入れてあるのは、第１アンカーポイント（図２０ではａ，ｐ，ｂ，ｑ）と呼ばれるポインタアドレスで、それぞれに縮小画像管理領域のスタートアドレス（ａ）およびエンドアドレス（ｐ）、そして縮小画像管理領域のバックアップデータのスタートアドレス（ｂ）およびエンドアドレス（ｑ）が記載されている。
【０１２１】
第１アンカーポイントの次には縮小画像管理領域が設定されており、この縮小画像管理領域は図３に示すピクチャアドレステーブル１０８Ｂに記録される。この縮小画像管理領域のデータは、後述する「３２ｋバイトアライン」の処理を受けている。この縮小画像管理領域の最初にある縮小画像全体情報は、図３に示すピクチャアドレステーブル１０８Ｂ内のメニューインデックス情報ＩＮＦＯ１に記録されている。縮小画像全体情報は、ＡＶ縮小画像数、ポインタのみの場合の数、欠陥領域の数および背景画像登録枚数からなっており、これらのうち「ポインタのみの場合の数」は、前述したポインタ記録モードのみによるインデックス画素の登録枚数を示している。
【０１２２】
縮小画像管理領域内の縮小画像全体情報の次にあるＰＧＣと縮小画像記録位置間の関連テーブルは、ユーザメニューを構成する各縮小画像に関する実際のデータであり、ＰＧＣ番号（ＰＧＣＮ）、タイムコード（タイムサーチなどに使用できる）、縮小画像の先頭アドレス、使用セクタ数（＝データ長）、縮小画像のサイズ、縮小画像の元ファイル（ＡＶデータ）へのアドレス（ポインタ）、検索や表題に使用するテキストデータ、ファイル内に欠陥領域がある場合の欠陥領域の先頭アドレスとデータ長、ユーザメニューの背景画像データに関して登録番号およびその先頭アドレスなどが記録されている。
【０１２３】
この関連テーブルのうち、ＰＧＣ番号、タイムコード、縮小画像の先頭アドレス、使用セクタ数、縮小画像のサイズ、縮小画像の元ファイルへのアドレス（ポインタ）、および検索や表題に使用する検索用テキストデータは、図３に示すピクチャアドレステーブル１０８Ｂ内のインデックスメニュー情報ＩＮＦＯ２に記録され、欠陥領域の先頭アドレスとデータ長は図３に示すピクチャアドレステーブル１０８Ｂ内の欠陥エリア情報ＩＮＦＯ５に記録され、ユーザメニューの背景画像データの登録番号および先頭アドレスは、図３に示すピクチャアドレステーブル１０８Ｂ内の壁紙ピクチャ情報ＩＮＦＯ６に記録されている。
【０１２４】
さらに、この関連テーブルの後には、図示しないが縮小画像管理領域のバックアップが記録されている。このバックアップは、縮小画像管理領域の破損に対する保険のために記録している。
【０１２５】
縮小画像管理領域の後には、図１５の縮小画像データ生成部５８で生成された実際の縮小画像データ群が記録されている。これらの縮小画像データはパック化されており、図３に示すピクチャオブジェクト８４に記録されている。ただし、これらのデータは１つの縮小画像毎に３２ｋバイトアラインされている。さらにその後には、ユーザメニューファイルの先頭の第１アンカーポイントと同じ第２アンカーポイント（ａ，ｐ，ｂ，ｑ）が記載されている。このようにするのは、ファイルは通常、アクセスの多い先頭の管理領域から破損していくことを考えてのことである。ファイルの最後にもアンカーポイント置くことにより、より安全性を高めている。
【０１２６】
また、このファイルの各区切りで３２ｋバイトアラインしているのは、データの変更、追加や削除時に、３２ｋバイト単位のＥＣＣグループ毎にアクセスすることができるようにという配慮からである。これによって、より高速のアクセスが可能となり、図１５に示したデータプロセッサ３６の動作が軽減される。
【０１２７】
なお、このユーザメニューファイル中のアドレス情報は、全てファイルの先頭からの相対アドレスで表されている。
【０１２８】
図２０のユーザメニューファイルには、以下の特徴がある。  
（イ）少なくともビデオデータの一部の静止画を表すところのメニュー選択用であるインデックス画像データ（すなわち縮小画像データ）が同一のユーザメニューファイル内に１以上記録されている。  
（ロ）縮小画像管理領域を有し、光ディスク１０（ＤＶＤ−ＲＡＭディスクまたはＤＶＤ−ＲＷディスクまたはＤＶＤ−Ｒディスク）上に記録した全縮小画像データの管理（保存場所と対応するビデオ信号の指定）を一括して行う。
【０１２９】
図２０のユーザメニューファイルには、具体的には図２１〜図２２に例示するような内容が書き込まれる。すなわち、図２１および図２２に示すように、ピクチャアドレステーブル用の第１アンカーポインタとして、ピクチャアドレステーブルの開始位置、ピクチャアドレステーブルの終了位置、予備ピクチャアドレステーブルの開始位置および予備ピクチャアドレステーブルの終了位置が記述され、ピクチャアドレステーブル（図３の１０８Ｂに対応）として、メニューインデックス情報（ＩＮＦＯ１）、インデックスピクチャ情報（ＩＮＦＯ２）、欠陥領域情報（ＩＮＦＯ５）、壁紙ピクチャ情報（ＩＮＦＯ６）およびパディングデータが記述され、ピクチャアドレステーブル用の第２アンカーポインタとして、ピクチャアドレステーブルの開始位置、ピクチャアドレステーブルの終了位置、予備ピクチャアドレステーブルの開始位置および予備ピクチャアドレステーブルの終了位置が記述される。
【０１３０】
なお、図２１および図２２のピクチャアドレステーブル内には、図３のインフォメーションピクチャ情報ＩＮＦＯ４も適宜記述される。
【０１３１】
図２１のメニューインデックス情報は、インデックスピクチャの数、インフォメーションピクチャの数、欠陥領域の数および壁紙ピクチャの数を含む。
【０１３２】
図２１のインデックスピクチャ情報は、内容特性、インデックスピクチャ用プログラムチェーンのＩＤ、インデックスピクチャのタイムコード、インデックスピクチャの開始位置、インデックスピクチャ記録の使用セクタ数、ピクチャサイズ、オリジナルのオーディオ・ビデオデータのアドレスおよび検索用テキストデータを含む。
【０１３３】
なお、インデックスピクチャ情報に含まれる内容特性には、ユーザメニューに利用される静止画が記録済みなら「１」が記述され、この静止画の記録位置（アドレス）のみを記録しているなら「０」が記述される。
【０１３４】
アドレスのみでユーザメニュー用画像を指定する場合のインデックスピクチャ情報は、図２２に示すように「０」が記述された内容特性と、スライド＆スチルピクチャ用のプログラムチェーンＰＧＣのＩＤと、オリジナルのオーディオ・ビデオデータのアドレスと、スライド＆スチルピクチャのタイムコードを含む。
【０１３５】
図２２の壁紙ピクチャ情報は、ユーザメニューの背景画像として利用できる壁紙ピクチャの数（登録された背景画像の番号）と、壁紙ピクチャの開始位置と、壁紙ピクチャが記録されている領域の使用セクタ数を含み、図２２のパディングデータは、インデックスピクチャの内容、欠陥領域の内容および壁紙ピクチャの内容等を含む。
【０１３６】
次に、前述した「３２ｋバイトアライン」について説明する。  
図２０〜図２２に示したユーザメニューファイル内は、既記録領域と未記録領域のいかんに関わらず、すべてエラー訂正コードの単位（ＥＣＣグループで）ある３２ｋバイト毎に分割され、その境界部分である「ＥＣＣバウンダリー」の位置が事前に確定している。
【０１３７】
各縮小画像データ、アンカーポイント、縮小画像管理領域と縮小画像管理領域のバックアップを記録する場合には、全てのデータの記録開始位置と記録終了位置は、上記「ＥＣＣバウンダリー」位置と一致するように記録される。
【０１３８】
各データ量が３２ｋバイトの整数値より若干少ない場合には図２０に示したように「ダミー領域」を付加して、記録終了位置を「ＥＣＣバウンダリー」位置に一致させる。この「ダミー領域」は図２１の「パディング」の領域を意味している。
【０１３９】
縮小画像データの記録・消去時には前述した「ＥＣＣバウンダリー」毎に情報の記録・消去を行う。この場合、ＥＣＣグループ内の一部の情報を変更する必要が無いので、記録時にはＥＣＣバウンダリーに合わせて縮小データを直接重ね書きできる。
【０１４０】
以上のような「３２ｋバイトアライン」を行えば、縮小画像データをＥＣＣグループ単位で記録・消去するため付加されたエラー訂正情報の修正が不要となるから、ＥＣＣグループ単位の記録・消去処理の高速化が図れる。
【０１４１】
図２０のユーザメニューファイルは、パーソナルコンピュータ等を利用した別の記録媒体への移植性を考慮している。そのために、ユーザメニュー用の縮小画像、背景画像、縮小画像管理領域の保存アドレスは、全てユーザメニューファイル先頭位置からの差分アドレス（相対アドレス）で表現している。
【０１４２】
図２０の縮小画像管理領域内のＰＧＣと縮小画像記録位置間の関連テーブルの中では、ＰＧＣ番号から検索用テキストデータサイズまでの２行が１組の対応テーブルを表している。この場合、ビデオ信号のタイムコードと先頭アドレスとの組の対応により記録された縮小画像データとビデオ信号との関係が分かる。また、この関連テーブル全体を検索する事により、ユーザメニューファイル内の未記録領域または消去後縮小画像データの消去された位置が分かり、この領域に新規な縮小画像データを記録することができる。
【０１４３】
図２０のユーザメニューファイルにおいては、オーディオ・ビデオデータを含むＡＶファイル上の位置と縮小画像記録位置間の関連テーブルの中で、欠陥領域の管理を行うようにしている。
【０１４４】
ここで、ディスク（記録媒体）１０の表面に付着したゴミや傷により縮小画像管理領域が破損した場合の具体的処理方法に付いて説明する。
【０１４５】
まず、ディスク（記録媒体）表面のゴミや傷による縮小画像管理領域の破損を検出する。（破損しているかどうかはＥＣＣグループのエラー訂正が失敗したかどうかで判定できる。）
破損が検出された場合は、アンカーポイントの情報を読み、縮小画像管理領域のバックアップデータアドレスを調べ、縮小画像管理領域のバックアップデータを読み込む。
【０１４６】
次に、図２０の縮小画像記録位置間の関連テーブルから、ユーザメニューファイル内の未記録領域を探す。そして、ユーザメニューファイル内の未記録領域に縮小画像管理データを記録し、アンカーポイントのアドレス情報を更新する。
【０１４７】
続いて、ディスク（記録媒体）表面のゴミや傷により縮小画像管理領域が破損した場所を、図２０の縮小画像記録位置間の関連テーブル内に、欠陥領域として登録する。
【０１４８】
図２０〜図２２のユーザメニューファイルフォーマットを採用すると、以下の効果が期待できる。  
（ａ）前記「３２ｋバイトアライン」によって、縮小画像データの追加・検索とアクセス高速化が図れる、
（ｂ）図示しないモニタディスプレイの表示部に一度に複数枚の縮小画像を表示する場合、各縮小画面毎に記録媒体上の該当する縮小画像データ位置にアクセスする必要がある。記録媒体上にこの縮小画像データが点在（散在）する場合には、アクセスに時間がかかり、複数枚の縮小画像を表示するための所要時間が長くなるとい弊害がある。ところが、図２０に例示するように、複数の縮小画像データを同一のユーザメニューファイル内にまとめて配置すれば、このユーザメニューファイルを再生するだけで高速に複数枚の縮小画像を表示させることができる。
【０１４９】
（ｃ）縮小画像管理領域での全縮小画像データを一括管理することにより、縮小画像データの削除や追加処理の管理が容易となる。すなわち、ユーザメニューファイル内の未記録領域（または縮小画像データ削除領域）の検索が容易となり、新規の縮小画像データの追加登録を高速に行なうことが可能となる。
【０１５０】
（ｄ）図１５に示したＤＶＤビデオレコーダでは、データプロセッサ３６で１６パック（＝３２ｋバイト）毎にまとめてＥＣＣグループとしてエラー訂正情報を付けて光ディスク（ＤＶＤ−ＲＡＭ、ＤＶＤ−ＲＷまたはＤＶＤ−Ｒ）１０に記録している。従って、もしＥＣＣグループ内の一部の情報を変更した場合には、付加されたエラー訂正情報の修正が必要となり、処理が煩雑になるとともに情報変更処理に多大な時間がかかるようになる。ところが、前記「３２ｋバイトアライン」を行うことによって、縮小画像データをＥＣＣグループ単位で記録・消去する際に付加されるエラー訂正情報の修正が不要となり、ユーザメニューデータの記録と消去が高速に処理可能となる。
【０１５１】
（ｅ）以下の方法により、アンカーポイントと縮小画像管理領域、縮小画像管理領域のバックアップデータの高信頼性を確保できる。  
＊縮小画像管理領域の信頼性確保  
…縮小画像管理領域のバックアップ領域を設け、万一の縮小画像管理領域欠陥に備えるとともに欠陥発生時には記録場所移動を可能とする。  
＊縮小画像管理領域の記録場所を示すアンカーポイント情報の信頼性確保  
…単独でＥＣＣブロックを構成し、データ変更回数を少なくするとともに２ヶ所に記録する（図２０の第１および第２アンカーポイント）。  
＊欠陥管理処理  
…光ディスク（記録媒体）表面のゴミや傷により縮小画像管理領域やアンカーポイントからの情報再生が不能になった場合、前述したバックアップ部からデータを読み直して、別位置に再記録できるようにする。これにより、欠陥領域を登録して誤ってその欠陥場所を再び使用してしまうことを防止できる。
【０１５２】
なお、ユーザメニューに用いる縮小画像データには、その元画像にクローズドキャプションや多重文字が重畳されているケースがある。そのような場合には、文字を多重後、縮小画像を構成しても良い。また、この文字データだけで縮小画像を構成する事も考えられる。
【０１５３】
図２３に、本実施形態において光ディスク１０に登録されたインデックス画像を利用して得られるメニュー画面の具体的な表示例を示す。この例では画像１としてアフリカ全体の地図、画像２，３，…として各国別の地図の画像が一覧的に表示されている。このメニュー画面は、ユーザがキー入力部４９のメニューキーを押すことで表示される。ユーザは、この画面の中から所望の番号の画像を選択することで、この画像が記録された光ディスク１０上の位置にサーチしたり、編集したりすることが可能となる。また、各画像１，２，…には図に示されるように先頭からのタイムコードも併せて表示することで、記録されている画像から再生開始時点からどの程度経過した段階で表示するかも把握できる。
【０１５４】
なお、以上の実施形態ではインデックス画像の登録について説明したが、特定の音声データの登録にも本発明を同様に適用することができる。
【０１５５】
さらに、本発明は記録再生装置のみならず、再生装置、つまり記録機能を持たない再生専用の装置として構成することも可能である。
【０１５６】
以上説明したように、本発明によれば記録媒体上に主記録データ中の特定の情報の記録位置を示す位置情報（ポインタ）を記録したり、あるいは主記録データ中の特定の情報を圧縮した圧縮情報、例えば縮小画像データを記録することにより、位置情報で示される記録位置に記録された画像や音声の情報、あるいは圧縮情報を再生時にメニューとして利用することで、ユーザが記録媒体上の記録情報を直観的に把握することができる。従って、このメニューからユーザが希望する個所の検索を迅速に行うことができるようなり、また記録媒体上の任意のエリアの情報の消去や置換などの編集作業も効率的に行うことが可能となる。
【図面の簡単な説明】
【０１５７】
【図１】本発明に係る記録再生可能な光ディスク（ＤＶＤ−ＲＡＭまたはＤＶＤ−ＲＷディスク）の構造を説明する斜視図
【図２】図１の光ディスク（ＤＶＤ−ＲＡＭ）のデータ記録領域とそこに記録されるデータの記録トラックとの対応関係を説明する図
【図３】図１および図２の光ディスクに記録される情報のディレクトリ構造を説明する図
【図４】図３に示したビデオオブジェクトセットのデータ構造を示す図
【図５】図４に示したデータパックの構造を示す図
【図６】図４に示した制御情報のデータ構造を示す図
【図７】図６に示した再生管理テーブルの内容を示す図
【図８】図６に示したＰＧＣ情報テーブルのデータ構造を示す図
【図９】図８に示したセル再生情報の概略的な内容を示す図
【図１０】図８に示したＰＧＣの概念を説明するための図
【図１１】図８に示したＰＧＣ情報管理情報の内容を示す図
【図１２】図８に示したＰＧＣ一般情報の内容を示す図
【図１３】図８に示したセル再生情報の内容を示す図
【図１４】図８に示したＰＧＣ情報管理情報の内容を示す図
【図１５】本発明の一実施形態に係る記録再生装置としてのＤＶＤビデオレコーダの構成を説明するブロック図
【図１６】インデックス画像の登録タイミング例を示す図
【図１７】同実施形態におけるポインタ記録モードによるインデックス画像登録手順を示すフローチャート
【図１８】ポインタ記録モードによるインデックス画像登録時の登録ポイントについて説明する図
【図１９】同実施形態における縮小画像記録モードによるインデックス画像登録手順を示すフローチャート
【図２０】同実施形態におけるユーザメニューファイルフォーマットを概念的に示す図
【図２１】図２０のユーザメニューファイルフォーマットをさらに詳細に示す図
【図２２】図２０のユーザメニューファイルフォーマットをさらに詳細に示す図
【図２３】同実施形態におけるメニュー画面の表示例を示す図
【符号の説明】
【０１５８】
１０…記録・再生可能光ディスク（ＤＶＤ−ＲＡＭまたはＤＶＤ−Ｒ）、１１…カートリッジ（ＤＶＤ−ＲＡＭ用）、１４…透明基板（ポリカーボネート）、１６…光反射層、１７…記録層、１９…読み出し面、２０…接着層、２２…中心孔、２４…クランピングエリア、２５…情報エリア、２６…リードアウトエリア、２７…リードインエリア、２８…データ記録エリア、３０…マイクロコンピュータブロック（ＭＰＵ／ＲＯＭ／ＲＡＭ）、３２…ディスクドライブ、３４…一時記憶部、３６…データプロセッサ、３８…システムタイムカウンタ、４２…ＡＶ入力部、４４…ＴＶチューナ（地上放送／衛星放送チューナ）、４６…ＡＶ出力部、４８…ＤＶＤビデオレコーダ表示部（液晶または蛍光表示パネル）、５０…エンコーダ部、５２…ＡＤＣ、５３…ビデオエンコーダ、５４…オーディオエンコーダ、５５…副映像エンコーダ、５６…フォーマッタ、５７…バッファメモリ、５８…縮小画像生成部、５９…縮小画像バッファメモリ、６０…デコーダ部、６２…セパレータ、６３…メモリ、６４…ビデオデコーダ、６５…副映像デコーダ、６６…ビデオプロセッサ、６７…ビデオＤＡＣ、６８…オーディオデコーダ、６９…オーディオＤＡＣ。
【図１】
2004241125.tif 000003
【図２】
2004241125.tif 000004
【図３】
2004241125.tif 000005
【図４】
2004241125.tif 000006
【図５】
2004241125.tif 000007
【図６】
2004241125.tif 000008
【図７】
2004241125.tif 000009
【図８】
2004241125.tif 000010
【図９】
2004241125.tif 000011
【図１０】
2004241125.tif 000012
【図１１】
2004241125.tif 000013
【図１２】
2004241125.tif 000014
【図１３】
2004241125.tif 000015
【図１４】
2004241125.tif 000016
【図１５】
2004241125.tif 000017
【図１６】
2004241125.tif 000018
【図１７】
2004241125.tif 000019
【図１８】
2004241125.tif 000020
【図１９】
2004241125.tif 000021
【図２０】
2004241125.tif 000022
【図２１】
2004241125.tif 000023
【図２２】
2004241125.tif 000024
【図２３】
2004241125.tif 000025